(57)【要約】【課題】濡れたタオル等を室内に保持するときに、水のしたたりによって床や絨毯等を濡らしたり汚したりすることがないようにする。また各部品を分解し、コンパクトな状態で持ち運ぶことができるようにする。【解決手段】  連結紐１６をもって連結するハンガー本体部１と水受け部１８とをもって構成する。ハンガー本体部１は、細長いキャップ状支持体２とドアのノブに掛けるフック部１４と、これらを連結する四角形のフレーム状連結具１２と、タオル等を掛ける掛け具１５とからなる。そしてこれらの部品は夫々分解できるようにする。また、細長いキャップ状支持体２の背部側には一対の姿勢保持板１０、１０を垂直方向回動可能に軸着する。水受け部１８は細長い皿状をなし、底部中央を隆起させて下面に部品収容凹部１９を形成している。ハンガー本体部１の下面には掛け具１５を、また水受け部１８の部品収容凹部１９にはフック部１４と四角形のフレーム状連結具１２を保持するようにしている。【選択図】図１ 
2004181214.tif 000002
【特許請求の範囲】
【請求項１】
ハンガー本体部と水受け部とをもって構成し、ハンガー本体部は、長さ方向中央部における中心から背面側に寄った位置に長さ方向と直交するＨ形の切欠きを設けると共に、該Ｈ形の切欠きの中央の対向部分を夫々下側に湾曲させて係合部とし、また下面の幅方向の略中央部における前記Ｈ形の切欠きを挟む位置に、後記掛け具を掛止するための一部を切り離した円弧状の掛止部を突設する一方、携帯時に後記掛け具を保持しておくための保持部を設けてなる細長いキャップ状支持体と、前記細長いキャップ状支持体の長さ方向に沿った鉤状本体部及び該鉤状本体部の下部にこれと直角をなすように連設した鉤状掛止部とからなるフック部と、上部側の中央部に前記フック部における鉤状掛止部を掛けるための掛止穴を形成し、下部側を前記細長いキャップ状支持体の係合部に係合する四角形のフレーム状連結具と、棒状本体部及びこれの両端から上方に延び、更に該棒状本体部に沿って内向きに延びた掛止部とからなり、該掛止部を夫々前記細長いキャップ状支持体の掛止部に掛止する、タオル等を掛けるための掛け具とからなり、また一方前記細長いキャップ状支持体と同大の水受け部は、細長い皿状をなし、底部中央をその長さ方向に沿って隆起させて下面に部品収容凹部を形成し、該部品収容凹部に、携帯時に前記フック部と四角形のフレーム状連結具を保持しておくための保持部を設けてなり、更に上記ハンガー本体部における細長いキャップ状支持体と水受け部に、携帯時に合わせた状態を保持する手段を設けてなる携帯用ハンガー。
【請求項２】
細長いキャップ状支持体の背面における両端近傍に、一対の姿勢保持板を垂直方向回動可能に軸着してなる請求項１記載の携帯用ハンガー。
【請求項３】
フック部における鉤状掛止部を軸断面六角形となすと共に、四角形のフレーム状連結具における掛止穴を六角形となした請求項１又は２記載の携帯用ハンガー。
【請求項４】
ハンガー本体部における細長いキャップ状支持体と水受け部とを、長さ調節可能な連結紐をもって連結してなる請求項１、２又は３記載の携帯用ハンガー。
【請求項５】
ハンガー本体部と水受け部とをもって構成し、ハンガー本体部は、長さ方向の中央部上面に下面側に隆起させて凹部を形成し、該凹部内に、フック部の基部を半円状に彎曲した支持部の中央に枢着連結した第一吊持体及び／又は半円状の第二吊持体を起立倒伏自在に設ける一方、下面の幅方向の略中央部における前記第一吊持体、第二吊持体を挟む位置に、後記掛け具を掛止するための一部を切り離した掛止部を垂直方向移動自在に支承してなる細長いキャップ状支持体と、棒状本体部及びこれの両端から上方に延び、更に該棒状本体部に沿って内向きに延びた掛止部とからなり、該掛止部を夫々前記細長いキャップ状支持体の掛止部に掛止する、タオル等を掛けるための掛け具とからなり、また一方前記細長いキャップ状支持体と同大の水受け部は、細長い皿状をなし、更に上記ハンガー本体部における細長いキャップ状支持体と水受け部に、携帯時に合わせた状態を保持する手段を設けてなる携帯用ハンガー。
【請求項６】
ハンガー本体部における細長いキャップ状支持体と水受け部とを、長さ調節可能な連結紐をもって連結してなる請求項５記載の携帯用ハンガー。
【発明の詳細な説明】
【技術分野】
【０００１】
本発明は携帯用ハンガーに関し、更に詳細には濡れたタオル等を室内に吊るして掛けておくことができるようになした携帯用ハンガーに係わる。
【背景技術】
【０００２】
風邪の予防や、目、鼻、喉の乾燥による諸症状の予防と緩和、アトピー等の肌のトラブルの緩和、静電気の予防等のためには適度な湿気を保つことが効果的である。そして従来これを手軽に行う手段として濡れたタオル等を室内に吊るしたり掛けたりすることが行われている。
【０００３】
しかし、濡れたタオル等をそのまま吊るしたり掛けたりする場合には、水がしたたり落ちるため、床や絨毯等を濡らしたり汚したりする不都合がある。
【０００４】
また、例えば旅行する場合に、ホテルや旅館の室内には濡れたタオル等を吊るしたり掛けたりしておくのに必要な部分や部品がなく、これを諦めざるを得なかった。
【発明の開示】
【発明が解決しようとする課題】
【０００５】
本発明は上記の点に鑑みなされたものであって、ハンガー本体部とこれの下方に配する水受け部とをもってハンガーを構成し、もって濡れたタオル等を室内に保持するときに、水のしたたりによって床や絨毯等を濡らしたり汚したりする不都合を解消することができるようになした携帯用ハンガーを提供せんとするものである。
【課題を解決するための手段】
【０００６】
而して、本発明の要旨とするところは、ハンガー本体部と水受け部とをもって構成し、ハンガー本体部は、長さ方向中央部における中心から背面側に寄った位置に長さ方向と直交するＨ形の切欠きを設けると共に、該Ｈ形の切欠きの中央の対向部分を夫々下側に湾曲させて係合部とし、また下面の幅方向の略中央部における前記Ｈ形の切欠きを挟む位置に、後記掛け具を掛止するための一部を切り離した円弧状の掛止部を突設する一方、携帯時に後記掛け具を保持しておくための保持部を設けてなる細長いキャップ状支持体と、前記細長いキャップ状支持体の長さ方向に沿った鉤状本体部及び該鉤状本体部の下部にこれと直角をなすように連設した鉤状掛止部とからなるフック部と、上部側の中央部に前記フック部における鉤状掛止部を掛けるための掛止穴を形成し、下部側を前記細長いキャップ状支持体の係合部に係合する四角形のフレーム状連結具と、棒状本体部及びこれの両端から上方に延び、更に該棒状本体部に沿って内向きに延びた掛止部とからなり、該掛止部を夫々前記細長いキャップ状支持体の掛止部に掛止する、タオル等を掛けるための掛け具とからなり、また一方前記細長いキャップ状支持体と同大の水受け部は、細長い皿状をなし、底部中央をその長さ方向に沿って隆起させて下面に部品収容凹部を形成し、該部品収容凹部に、携帯時に前記フック部と四角形のフレーム状連結具を保持しておくための保持部を設けてなり、更に上記ハンガー本体部における細長いキャップ状支持体と水受け部に、携帯時に合わせた状態を保持する手段を設けてなる携帯用ハンガーにある。
【０００７】
また、上記構成において、細長いキャップ状支持体の背面における両端近傍に、一対の姿勢保持板を垂直方向回動可能に軸着するようにしてもよい。
【０００８】
また、上記構成において、フック部における鉤状掛止部を軸断面六角形となすと共に、四角形のフレーム状連結具における掛止穴を六角形となしてもよい。
【０００９】
また、上記構成において、ハンガー本体部における細長いキャップ状支持体と水受け部とを、長さ調節可能な連結紐をもって連結するようにしてもよい。
【００１０】
また、本発明は、ハンガー本体部と水受け部とをもって構成し、ハンガー本体部は、長さ方向の中央部上面に下面側に隆起させて凹部を形成し、該凹部内に、フック部の基部を半円状に彎曲した支持部の中央に枢着連結した第一吊持体及び／又は半円状の第二吊持体を起立倒伏自在に設ける一方、下面の幅方向の略中央部における前記第一吊持体、第二吊持体を挟む位置に、後記掛け具を掛止するための一部を切り離した掛止部を垂直方向移動自在に支承してなる細長いキャップ状支持体と、棒状本体部及びこれの両端から上方に延び、更に該棒状本体部に沿って内向きに延びた掛止部とからなり、該掛止部を夫々前記細長いキャップ状支持体の掛止部に掛止する、タオル等を掛けるための掛け具とからなり、また一方前記細長いキャップ状支持体と同大の水受け部は、細長い皿状をなし、更に上記ハンガー本体部における細長いキャップ状支持体と水受け部に、携帯時に合わせた状態を保持する手段を設けてなる携帯用ハンガーをもその要旨とするものである。
【００１１】
また、斯かる構成において、ハンガー本体部における細長いキャップ状支持体と水受け部とを、長さ調節可能な連結紐をもって連結するようにしてもよい。
【発明の効果】
【００１２】
本発明は上記の如き構成、作用であるから、濡れたタオル等を室内に保持するときに、水のしたたりによって床や絨毯等を濡らしたり汚したりすることがないものである。また、特にドアのノブに掛けて使用することもできるから、ホテル等の室内でも使用することが可能であり、旅行の際に便利である。また、各部品を分解してハンガー本体部と水受け部の内部に保持し、この状態においてハンガー本体部と水受け部を重ね合わせて一体化すると薄くてコンパクトになり、携帯に便利である。
【００１３】
また、フック部における鉤状掛止部を軸断面六角形となすと共に、これを掛ける四角形のフレーム状連結具の掛止穴を六角形となした場合には、フック部をドアのノブ等に掛けた状態において細長いキャップ状支持体に横方向に揺れる力が加わったときに、余程大きな力でない限り動くことがない。即ち、横揺れに対する安定性を良くすることができるものである。
【００１４】
また、連結紐をもってハンガー本体部の細長いキャップ状支持体と水受け部とを連結する場合には、使用時においてこれらの上下の位置関係を一々一致させる煩わしさがない。そしてまた、この場合において連結紐の長さを調節することができるようにした場合には、大きさが異なるタオル等を掛ける場合にも対応することができるものである。
【００１５】
また、細長いキャップ状支持体の上面に凹部を形成し、該凹部内に第一吊持体及び／又は第二吊持体を起立倒伏自在に設ける場合には、使用時、不使用時の手順が簡略化されてスピーディーに行うことができるものである。
【発明を実施するための最良の形態】
【００１６】
本発明を実施するための最良の形態は以下の通りである。
（１）ハンガー本体部と水受け部とをもって構成し、ハンガー本体部は、長さ方向中央部における中心から背面側に寄った位置に長さ方向と直交するＨ形の切欠きを設けると共に、該Ｈ形の切欠きの中央の対向部分を夫々下側に湾曲させて係合部とし、また下面の幅方向の略中央部における前記Ｈ形の切欠きを挟む位置に、後記掛け具を掛止するための一部を切り離した円弧状の掛止部を突設する一方、携帯時に後記掛け具を保持しておくための保持部を設けてなる細長いキャップ状支持体と、前記細長いキャップ状支持体の長さ方向に沿った鉤状本体部及び該鉤状本体部の下部にこれと直角をなすように連設した鉤状掛止部とからなるフック部と、上部側の中央部に前記フック部における鉤状掛止部を掛けるための掛止穴を形成し、下部側を前記細長いキャップ状支持体の係合部に係合する四角形のフレーム状連結具と、棒状本体部及びこれの両端から上方に延び、更に該棒状本体部に沿って内向きに延びた掛止部とからなり、該掛止部を夫々前記細長いキャップ状支持体の掛止部に掛止する、タオル等を掛けるための掛け具とからなり、また一方前記細長いキャップ状支持体と同大の水受け部は、細長い皿状をなし、底部中央をその長さ方向に沿って隆起させて下面に部品収容凹部を形成し、該部品収容凹部に、携帯時に前記フック部と四角形のフレーム状連結具を保持しておくための保持部を設けてなり、更に上記ハンガー本体部における細長いキャップ状支持体と水受け部に、携帯時に合わせた状態を保持する手段を設けてなる携帯用ハンガー。
【００１７】
（２）細長いキャップ状支持体の背面における両端近傍に、一対の姿勢保持板を垂直方向回動可能に軸着してなる上記（１）記載の携帯用ハンガー。
【００１８】
（３）フック部における鉤状掛止部を軸断面六角形となすと共に、四角形のフレーム状連結具における掛止穴を六角形となした上記（１）又は（２）記載の携帯用ハンガー。
【００１９】
（４）ハンガー本体部における細長いキャップ状支持体と水受け部とを、長さ調節可能な連結紐をもって連結してなる上記（１）、（２）又は（３）記載の携帯用ハンガー。
【００２０】
（５）ハンガー本体部と水受け部とをもって構成し、ハンガー本体部は、長さ方向の中央部上面に下面側に隆起させて凹部を形成し、該凹部内に、フック部の基部を半円状に彎曲した支持部の中央に枢着連結した第一吊持体及び／又は半円状の第二吊持体を起立倒伏自在に設ける一方、下面の幅方向の略中央部における前記第一吊持体、第二吊持体を挟む位置に、後記掛け具を掛止するための一部を切り離した掛止部を垂直方向移動自在に支承してなる細長いキャップ状支持体と、棒状本体部及びこれの両端から上方に延び、更に該棒状本体部に沿って内向きに延びた掛止部とからなり、該掛止部を夫々前記細長いキャップ状支持体の掛止部に掛止する、タオル等を掛けるための掛け具とからなり、また一方前記細長いキャップ状支持体と同大の水受け部は、細長い皿状をなし、更に上記ハンガー本体部における細長いキャップ状支持体と水受け部に、携帯時に合わせた状態を保持する手段を設けてなる携帯用ハンガー。
【００２１】
（６）ハンガー本体部における細長いキャップ状支持体と水受け部とを、長さ調節可能な連結紐をもって連結してなる上記（５）記載の携帯用ハンガー。
【実施例１】
【００２２】
以下、本発明の実施例について図面を参照しつつ説明する。
図１は本発明の第１実施例の連結紐を一部省略して示した使用状態の正面図、図２はハンガー本体部の使用状態の中央縦断側面図、図３は水受け部の使用状態の中央縦断側面図、図４はハンガー本体部における細長いキャップ状支持体の不使用時の状態の平面図、図５はハンガー本体部における細長いキャップ状支持体の不使用時の状態の底面図、図６は水受け部の不使用時の状態の平面図、図７は水受け部の不使用時の状態の底面図、図８は携帯するためハンガー本体部と水受け部とを合わせた状態の中央縦断正面図、図９は携帯するためハンガー本体部と水受け部とを合わせた状態の中央縦断側面図である。
【００２３】
図中、１はハンガー本体部である。２は該ハンガー本体部１におけるプラスチック等からなる細長いキャップ状支持体である。また、該細長いキャップ状支持体２は、長さ方向中央部における中心から背部側に寄った位置に長さ方向と直交するＨ形の切欠き３を設けると共に、該Ｈ形の切欠き３の中央の対向部分３ａ、３ｂを夫々下側に湾曲させて係合部４、５としている。
【００２４】
また、該細長いキャップ状支持体２の下面には、幅方向の略中央部において前記Ｈ形の切欠き３を挟む位置に後記掛け具を掛止するための一部を切り離した円弧状の掛止部６、７を突設する一方、後記掛け具を携帯時に保持しておくための保持部を設けている。尚、該保持部は、本実施例では対向する一対の挟持片からなる挟持構造の保持部８ａと、枕状をなす保持部８ｂとで構成している。更にまた、該細長いキャップ状支持体２は、その前面における長さ方向の中央部に、後記水受け部に設けた閉止部材を係合するための係合部９を設ける一方、背部側の垂直壁の内面に、後記水受け部に設けた係合突起が嵌入する凹部９ａを設けている。
【００２５】
１０、１０は前記細長いキャップ状支持体２の背面における両端近傍部に垂直方向回動可能に軸着した一対の姿勢保持板である。尚、該一対の姿勢保持板１０、１０は、後記四角形のフレーム状連結具を背部側の係合部５に掛けたときにバランスが崩れて細長いキャップ状支持体２の前部側が下に傾き、掛けてある濡れたタオル等がドアや壁につくことを防ぐためのものである。そしてまた、該一対の姿勢保持板１０、１０は、携帯時には水平にして細長いキャップ状支持体２の背面に沿わせておくものである。
【００２６】
１１、１１は前記細長いキャップ状支持体２の下面の適所に設けた後記連結紐の結合部である。
【００２７】
１２は四角形のフレーム状連結具であり、上部側の中央部には、後記フック部における鉤状掛止部を掛けるための掛止穴１３を形成している。また、該掛止穴１３は六角形としている。１４はフック部であり、前記細長いキャップ状支持体２の長さ方向に沿った鉤状本体部１４ａと、該鉤状本体部１４ａの下部にこれと直角をなすよう連設した、軸断面が六角形をなす鉤状掛止部１４ｂとからなるものである。尚、該フック部１４は、携帯するときには後記水受け部の下面の保持部に保持する都合上、同じ向きにすることが可能となるよう、例えば鉤状掛止部４ｂが軸（図示せず。）をもって回転自在になるように連結してもよい。
【００２８】
１５はタオル等を掛けるための掛け具である。また、該掛け具１５は、棒状本体部１５ａと、これの両端から上方に延び、更に棒状本体部１５ａに沿って内向きに延びた掛止部１５ｂ、１５ｂとからなるものである。
【００２９】
１６、１６は連結紐であり、一端側は前記細長いキャップ状支持体２の結合部１１、１１に結合し、他端側は後記水受け部の結合部に結合している。また該連結紐１６、１６は絡み難い数珠状のチェーンを用いることが好ましい。該連結紐１６、１６は前記細長いキャップ状支持体２とこれの下方に位置する水受け部とを連結するためのものであり、これがあることにより使用時に上下の位置関係の保持が容易となるものである。また、身体を洗うタオルと身体を拭く湯上がりタオルとでは大きさが異なることから、これら両種のタオルにも対応することができるように長さを調節することができるようにしている。即ち、該連結紐１６、１６には夫々その長さ方向の途中部に鐙状の部材１７、１７を取り付ける一方、後記水受け部における内壁には該鐙状の部材１７、１７の挟持部を設けている。尚、該連結紐１６、１６は本発明の必須の構成要素ではなく、場合によってはこれを用いなくともよい。
【００３０】
１８はプラスチック等からなる細長い皿状の水受け部であり、前記細長いキャップ状支持体２と同大である。また、該水受け部１８は、底部中央をその長さ方向に沿って隆起させて下面に部品収容凹部１９を形成している。また、該部品収容凹部１９には、携帯時に前記四角形のフレーム状連結具１２とフック部１４を保持しておくための保持部を設けている。尚、該保持部は、本実施例では対向する一対の挟持片からなる挟持構造の保持部２０、２０としている。更にまた、該水受け部１８には、その前面における長さ方向の中央部に、前記細長いキャップ状支持体２に設けた係合部９に係合する閉止部材２１を設ける一方、背部側の垂直壁の頂部外面に、前記細長いキャップ状支持体２の背部側の垂直壁内面に設けた凹部９ａに嵌入する係合突起１８ａを設けている。
【００３１】
２２、２２は前記水受け部１８の底部における前記細長いキャップ状支持体２に設けた連結紐の結合部１１、１１と一致する位置に設けた連結紐の結合部である。２３、２３は前記水受け部１８の垂直壁内面における前記連結紐の結合部１１、１１の上部に位置する箇所に設けた前記鐙状の部材の挟持部である。また、その他２４は濡れたタオル、２５はドアのノブ、２６はドアを示す。
【００３２】
次に、上記実施例の作用について説明する。
先ず、ドアのノブを用いる場合について説明する。
【００３３】
この場合には、図１及び図３に示す如く、フック部１４の鉤状本体部１４ａをドアのノブ２５に引っ掛けた後、掛け具１５における棒状本体部１５ａに濡れたタオル２４を掛けるものである。このときには四角形のフレーム状連結具１２は細長いキャップ状支持体２における背部側の係合部５に係合している。そしてまた一対の姿勢保持板１０、１０は垂直に下に延びている。このようにして濡れたタオルを掛けた場合には、その真下に位置する水受け部１８によって水滴が受け止められ、床や絨毯等を濡らしたり汚したりすることを防ぐことができるものである。
【００３４】
また、タオルが、例えば身体を拭く湯上がりタオル、所謂バスタオルの場合には、図１及び図２、図３及び図４に示す如く連結紐１６、１６を一杯まで長く伸ばした状態で使用し、また一方、身体を洗うタオルの場合には、連結紐１６、１６の長さ方向の途中部に取り付けた鐙状の部材１７、１７を水受け部１８の挟持部２３、２３に挟持し、連結紐１６、１６を短くして使用するものである。
【００３５】
次に、上記以外の場合について説明する。
例えば室内に紐や竿等を架け渡すことができるような場合、つまり壁面から離れた位置に吊るすことができる場合には、四角形のフレーム状連結具１２を、細長いキャップ状支持体２における中央部側の係合部４に係合するものである。この場合には細長いキャップ状支持体２は前後のバランスがとれているから、一対の姿勢保持板１０、１０の作用は必要ない。
【００３６】
次に、携帯する場合について説明する。
この場合には、先ずフック部１４、四角形のフレーム状連結具１２、掛け具１５を夫々取り出すと共に、フック部１４と四角形のフレーム状連結具１２は水受け部１８の部品収容凹部１９内に保持し、また掛け具１５は細長いキャップ状支持体２の下面に保持する。次に、一対の姿勢保持板１０、１０を水平にして細長いキャップ状支持体２に沿わせる。そして細長いキャップ状支持体２と水受け部１８とを重ね合わせ、水受け部１８の係合突起１８ａを細長いキャップ状支持体２の凹部９ａに嵌入する一方、水受け部１８の閉止部材２１を細長いキャップ状支持体２の係合部９に係合するものである。
【実施例２】
【００３７】
次に、図１０乃至図１２を参照しつつ本発明の第２実施例について説明する。
図１０は本発明の第２実施例のハンガー本体部における細長いキャップ状支持体の不使用時の状態の平面図、図１１はハンガー本体部における細長いキャップ状支持体の不使用時の状態の底面図、図１２は細長いキャップ状支持体の使用時の状態の一部拡大縦断側面図である。
【００３８】
本実施例と前記第１実施例との相違点は、ハンガー本体部及び水受け部における次の構成にある。尚、次の相違点以外は同様であるから、同一の部材には同一の符号を付して説明する。
【００３９】
而して、本実施例においてハンガー本体部１は、長さ方向の中央部上面に下面側に隆起させて凹部２Ａを形成し、該凹部２Ａ内に、フック部２７の基部を半円状に彎曲した支持部２８の中央に枢着連結した第一吊持体２９と、半円状の第二吊持体３０とを起立倒伏自在に設ける一方、下面の幅方向の略中央部における前記第一吊持体２９、第二吊持体３０を挟む位置に、後記掛け具を掛止するための一部を切り離した掛止部３１を垂直方向移動自在に支承してなる細長いキャップ状支持体２と、棒状本体部１５ａ及びこれの両端から上方に延び、更に該棒状本体部１５ａに沿って内向きに延びた掛止部１５ｂ、１５ｂとからなり、該掛止部１５ｂ、１５ｂを夫々前記細長いキャップ状支持体２の掛止部３１に掛止する、タオル等を掛けるための掛け具１５とをもって構成している。
【００４０】
また、前記第一吊持体２９と第二吊持体３０の基部には夫々軸体２９Ａ、２９Ａ、３０Ａ、３０Ａを張り出し、該軸体２９Ａ、２９Ａ、３０Ａ、３０Ａを凹部２Ａの内壁に設けた嵌合孔（図示せず。）に回動自在に嵌合している。また、前記掛止部３１は、支承枠３２をもって支承されている。
【００４１】
また一方、前記細長いキャップ状支持体２と同大の水受け部１８は、図示はしないが前記第１実施例の如き部品収容凹部を形成することなく、単に細長い皿状をなしている。そして前記細長いキャップ状支持体２と水受け部１８に、携帯時に合わせた状態を保持する手段を設けること、並びに両者を長さ方向調節可能な連結紐をもって連結してもよいことは前記第１実施例と同様である。
【００４２】
而して、本実施例の場合には、これの使用時においては第一吊持体２９又は第二吊持体３０を凹部２Ａ内から起こしてドアのノブ等に吊り下げ、また不使用時にはこれらを倒して凹部２Ａ内に仕舞えばよく、一々組み立てたり分解したりする前記第１実施例におけるよりも使用時、不使用時の手順が簡略化されてスピーディーに行うことができるようになるものである。
【図面の簡単な説明】
【００４３】
【図１】本発明の第１実施例の連結紐を一部省略して示した使用状態の正面図である。
【図２】ハンガー本体部の使用状態の中央縦断側面図である。
【図３】水受け部の使用状態の中央縦断側面図である。
【図４】ハンガー本体部における細長いキャップ状支持体の不使用時の状態の平面図である。
【図５】ハンガー本体部における細長いキャップ状支持体の不使用時の状態の底面図である。
【図６】水受け部の不使用時の状態の平面図である。
【図７】水受け部の不使用時の状態の底面図である。
【図８】携帯するためハンガー本体部と水受け部とを合わせた状態の中央縦断正面図である。
【図９】携帯するためハンガー本体部と水受け部とを合わせた状態の中央縦断側面図である。
【図１０】本発明の第２実施例のハンガー本体部における細長いキャップ状支持体の不使用時状態の平面図である。
【図１１】ハンガー本体部における細長いキャップ状支持体の不使用時の状態の底面図である。
【図１２】細長いキャップ状支持体の使用時の状態の一部拡大縦断側面図である。
【符号の説明】
【００４４】
１  ハンガー本体部
２  細長いキャップ状支持体
２Ａ  凹部
３  Ｈ形の切欠き
４、５  係合部
６、７  円弧状の掛止部
８ａ、８ｂ  保持部
９  係合部
９ａ  凹部
１０、１０  一対の姿勢保持板
１２  四角形のフレーム状連結具
１３  掛止穴
１４  フック部
１４ａ  鉤状本体部
１４ｂ  鉤状掛止部
１５  掛け具
１６、１６  連結紐
１７、１７  鐙状の部材
１８  水受け部
１８ａ  係合突起
１９  部品収容凹部
２０、２０  保持部
２１  閉止部材
２３、２３  鐙状の部材の挟持部
２７  フック部
２８  支持部
２９  第一吊持体
３０  第二吊持体
３１  掛止部
３２  支承枠
【図１】
2004181214.tif 000003
【図２】
2004181214.tif 000004
【図３】
2004181214.tif 000005
【図４】
2004181214.tif 000006
【図５】
2004181214.tif 000007
【図６】
2004181214.tif 000008
【図７】
2004181214.tif 000009
【図８】
2004181214.tif 000010
【図９】
2004181214.tif 000011
【図１０】
2004181214.tif 000012
【図１１】
2004181214.tif 000013
【図１２】
2004181214.tif 000014